(57)【要約】【課題】簡易な構造で表面に加え、特にエッヂ部を光の演出によって強調しうるＬＥＤ表札を提供する。【解決手段】名前又はデザインが施された表示用プレート１０と、表示用プレート１０よりもサイズが小さく、表面側が開放したボックス型で、表示用プレート１０の裏面を支持するベースプレート２０と、ベースプレート２０に収納され、表示用プレート１０側に発光する複数のＬＥＤ３０と、ＬＥＤ３０に電力を供給する回路４０と、を備え、ＬＥＤ３０からの光を、表示プレート１０の外周に位置するエッヂ部１１Ａに集めて、エッヂ部１１Ａを鮮明に輝かせる。【選択図】図１
2010108631.tif 000002
【特許請求の範囲】
【請求項１】
名前又はデザインが施された表示用プレートと、
前記表示用プレートよりもサイズが小さく、表面側が開放したボックス型で、前記表示用プレートの裏面を支持するベースプレートと、
前記ベースプレートに収納され、前記表示用プレート側に発光する複数のＬＥＤと、
前記ＬＥＤに電力を供給する回路と、を備え、
前記ＬＥＤからの光を、前記表示プレートの外周に位置するエッヂ部に集めて、前記エッヂ部を鮮明に輝かせることを特徴とするＬＥＤ表札。
【請求項２】
名前又はデザインが施された表示用プレートと、
前記表示用プレートよりもサイズが小さく、表面側が開放したボックス型で、前記表示用プレートの裏面側に、前記表示用プレートとの間に隙間をあけた状態で設けられたベースプレートと、
前記ベースプレートに収納され、前記表示用プレート側に発光する複数のＬＥＤと、
前記ＬＥＤに電力を供給する回路と、を備え、
前記ＬＥＤからの光を、前記表示プレートの外周に位置するエッヂ部に集めて、前記エッヂ部を鮮明に輝かせることを特徴とするＬＥＤ表札。
【請求項３】
前記表示用プレートのエッヂ部を透明又は半透明としたことを特徴とする請求項１又は２に記載のＬＥＤ表札。
【請求項４】
前記表示用プレートのエッヂ部を、表面側に向けて膨出湾曲させたことを特徴とする請求項１乃至３のうちいずれか一つに記載のＬＥＤ表札。
【請求項５】
前記表示用プレートを、アクリル板又はガラス板としたことを特徴とする請求項１乃至４のうちいずれか一つに記載のＬＥＤ表札。
【請求項６】
前記表示用プレートを、透明又は半透明ガラスの上にサイズの小さい色付きガラスを重ねてエッヂ部を透明又は半透明としたフュージングガラスとしたことを特徴とする請求項１乃至４のうちいずれか一つに記載のＬＥＤ表札。
【請求項７】
透明又は半透明ガラスの上に、サイズが小さく名前又はデザインが施された色付きガラスを重ねて外周に位置するエッヂ部を透明又は半透明とするとともに、エッヂ部を表面側に向けて膨出湾曲させたフュージングガラスからなる表示用プレートと、
前記表示用プレートよりもサイズが小さく、表面側が開放したボックス型で、前記表示用プレートの裏面を支持するベースプレートと、
前記ベースプレートに収納され、前記表示用プレート側に発光する複数のＬＥＤと、
前記ＬＥＤに電力を供給する回路と、を備え、
前記ＬＥＤからの光を、前記表示プレートのエッヂ部に集めて、前記エッヂ部を鮮明に輝かせることを特徴とするＬＥＤ表札。
【請求項８】
透明又は半透明ガラスの上に、サイズが小さく名前又はデザインが施された色付きガラスを重ねて外周に位置するエッヂ部を透明又は半透明とするとともに、エッヂ部を表面側に向けて膨出湾曲させたフュージングガラスからなる表示用プレートと、
前記表示用プレートよりもサイズが小さく、表面側が開放したボックス型で、前記表示用プレートの裏面側に、前記表示用プレートとの間に隙間をあけた状態で設けられたベースプレートと、
前記ベースプレートに収納され、前記表示用プレート側に発光する複数のＬＥＤと、
前記ＬＥＤに電力を供給する回路と、を備え、
前記ＬＥＤからの光を、前記表示プレートのエッヂ部に集めて、前記エッヂ部を鮮明に輝かせることを特徴とするＬＥＤ表札。
【請求項９】
前記表示用プレートと前記ベースプレートの間に光拡散板を設けたことを特徴とする請求項１乃至８のうちいずれか一つに記載のＬＥＤ表札。
【発明の詳細な説明】
【技術分野】
【０００１】
本発明は、ＬＥＤ（発光ダイオード）を利用して発光させる機能の付いたＬＥＤ表札に関するものである。
【背景技術】
【０００２】
ＬＥＤ（発光ダイオード）を表札の裏側あるいは側端部から発光させて、夜間でも判読可能にした表札が開示されている（例えば、特許文献１、２参照）。
【特許文献１】特開２００８−１１６６２６号公報
【特許文献２】特開２００８−３３３７８号公報
【０００３】
特許文献１に記載の発明は、複数のＬＥＤを表札の基板に一列に並べて配置して搭載し、ＬＥＤの光を照射する側をガラスの端部に隣接しガラスの端部の一端から光を照射しガラスを発光させるとともに、対向する端部からガラス外部に光を透過させ周りを照らし雰囲気を醸し出す明かりを作るものである。
また、特許文献２に記載の発明は、表示プレートのコーナーを把持する把持具にＬＥＤを収容するようにして、ＬＥＤの交換を容易に行えるようにしたものである。
【発明の開示】
【発明が解決しようとする課題】
【０００４】
上記特許文献１、２に記載の発明によれば、表札の表面は発光させられるが、表札が全体的に明るくされるにすぎないため演出的に物足りない。
特に、表札の表面に加えて、エッヂ部を発光によって強調したいという要望もある。
また、特許文献１に記載の発明は、複数のＬＥＤを表札の基板に一列に並べて配置する必要があるので、構造が複雑となり、また、特許文献２に記載の発明は、把持片の構造が複雑になるといった問題がある。
【０００５】
そこで、本発明の目的とするところは、簡易な構造で表面に加え、特にエッヂ部を光の演出によって強調しうるＬＥＤ表札を提供することにある。
【課題を解決するための手段】
【０００６】
上記の目的を達成するために、本発明の請求項１に記載のＬＥＤ表札（１）は、名前又はデザインが施された表示用プレート（１０）と、前記表示用プレート（１０）よりもサイズが小さく、表面側が開放したボックス型で、前記表示用プレート（１０）の裏面を支持するベースプレート（２０）と、前記ベースプレート（２０）に収納され、前記表示用プレート（１０）側に発光する複数のＬＥＤ（３０）と、前記ＬＥＤ（３０）に電力を供給する回路（４０）と、を備え、前記ＬＥＤ（３０）からの光を、前記表示プレート（１０）の外周に位置するエッヂ部（１１Ａ）に集めて、前記エッヂ部（１１Ａ）を鮮明に輝かせることを特徴とする。
【０００７】
また、請求項２に記載の発明は、名前又はデザインが施された表示用プレート（１０）と、前記表示用プレート（１０）よりもサイズが小さく、表面側が開放したボックス型で、前記表示用プレート（１０）の裏面側に、前記表示用プレート（１０）との間に隙間（Ｔ）をあけた状態で設けられたベースプレート（２０）と、前記ベースプレート（２０）に収納され、前記表示用プレート（１０）側に発光する複数のＬＥＤ（３０）と、前記ＬＥＤ（３０）に電力を供給する回路（４０）と、を備え、前記ＬＥＤ（３０）からの光を、前記表示プレート（１０）の外周に位置するエッヂ部（１１Ａ）に集めて、前記エッヂ部（１１Ａ）を鮮明に輝かせることを特徴とする。
【０００８】
さらに、請求項３に記載の発明は、前記表示用プレート（１０）のエッヂ部（１１Ａ）を透明又は半透明としたことを特徴とする。
【０００９】
また、請求項４に記載の発明は、前記表示用プレート（１０）のエッヂ部（１１Ａ）を、表面側に向けて膨出湾曲させたことを特徴とする。
【００１０】
また、請求項５に記載の発明は、前記表示用プレート（１０）を、アクリル板又はガラス板としたことを特徴とする。
【００１１】
また、請求項６に記載の発明は、前記表示用プレート（１０）を、透明又は半透明ガラス（１１）の上にサイズの小さい色付きガラス（１２）を重ねてエッヂ部（１１Ａ）を透明又は半透明としたフュージングガラスとしたことを特徴とする。
【００１２】
また、請求項７に記載の発明は、透明又は半透明ガラス（１１）の上に、サイズが小さく名前又はデザインが施された色付きガラス（１２）を重ねて外周に位置するエッヂ部（１１Ａ）を透明又は半透明とするとともに、エッヂ部（１１Ａ）を表面側に向けて膨出湾曲させたフュージングガラスからなる表示用プレート（１０）と、前記表示用プレート（１０）よりもサイズが小さく、表面側が開放したボックス型で、前記表示用プレート（１０）の裏面を支持するベースプレート（２０）と、前記ベースプレート（２０）に収納され、前記表示用プレート（１０）側に発光する複数のＬＥＤ（３０）と、前記ＬＥＤ（３０）に電力を供給する回路（４０）と、を備え、前記ＬＥＤ（３０）からの光を、前記表示プレート（１０）のエッヂ部（１１Ａ）に集めて、前記エッヂ部（１１Ａ）を鮮明に輝かせることを特徴とする。
【００１３】
また、請求項８に記載の発明は、透明又は半透明ガラス（１１）の上に、サイズが小さく名前又はデザインが施された色付きガラス（１２）を重ねて外周に位置するエッヂ部（１１Ａ）を透明又は半透明とするとともに、エッヂ部（１１Ａ）を表面側に向けて膨出湾曲させたフュージングガラスからなる表示用プレート（１０）と、前記表示用プレート（１０）よりもサイズが小さく、表面側が開放したボックス型で、前記表示用プレート（１０）の裏面側に、前記表示用プレート（１０）との間に隙間（Ｔ）をあけた状態で設けられたベースプレート（２０）と、前記ベースプレート（２０）に収納され、前記表示用プレート（１０）側に発光する複数のＬＥＤ（３０）と、前記ＬＥＤ（３０）に電力を供給する回路（４０）と、を備え、前記ＬＥＤ（３０）からの光を、前記表示プレート（１０）のエッヂ部（１１Ａ）に集めて、前記エッヂ部（１１Ａ）を鮮明に輝かせることを特徴とする。
【００１４】
また、請求項９に記載の発明は、前記表示用プレート（１０）と前記ベースプレート（２０）の間に光拡散板（５０）を設けたことを特徴とする。
【００１５】
なお、括弧内の記号は、図面および後述する発明を実施するための最良の形態に記載された対応要素または対応事項を示す。
【発明の効果】
【００１６】
本発明のＬＥＤ表札によれば、複数のＬＥＤが収納され表示用プレートの裏面を支持するベースプレートは、表示用プレートよりもサイズが小さく、表面側が開放したボックス型であるので、表示用プレートのエッヂ部はベースプレートより外側（外方）に向けて露出している。
これにより、ＬＥＤからの光は、表示用プレートの外周に位置するエッヂ部と、名前又はデザインが施された表示用プレートの部分に導かれる。
このような簡易な構造によって、名前又はデザインが施された部分に加え、表示用プレートのエッヂ部を鮮明に輝かせることができる。
よって、夜間時の表示効果に優れ、光の演出を楽しむことができる。
【００１７】
また本発明によれば、ベースプレートは、表示用プレートの裏面側に、表示用プレートとの間に隙間をあけた状態で設けられるので、ＬＥＤからの光が、べースプレートと表示用プレートとの間を介して表示用プレートのエッヂ部にダイレクトにあるいはダイレクトに近い状態で当たる。
これにより、表示用プレートのエッヂ部が一層鮮明に輝く。
【００１８】
また本発明によれば、表示用プレートのエッヂ部を透明又は半透明としたり、表示用プレートのエッヂ部を、表面側に向けて膨出湾曲させるので、エッヂ部の輝きを一層強いものとすることができる。
【００１９】
表示用プレートとしては、アクリル板又はガラス板を使用することができ、その中でもガラス板としてフュージングガラスを使用し、表示用プレートを、透明又は半透明ガラスの上にサイズの小さい色付きガラスを重ねてエッヂ部を透明又は半透明としたものは、エッヂ部からの発光を一段と強いものとすることができる。
【００２０】
表示用プレートとベースプレートとの間に光拡散板を設けることによって、ＬＥＤの光を均一にした状態で表示用プレートに当てることができる。
【発明を実施するための最良の形態】
【００２１】
図１乃至図３を参照して、本発明の実施形態に係るＬＥＤ表札１について説明する。図１は、本発明の実施形態に係るＬＥＤ表札１の外観を示す斜視図であり、図２及び図３は、図１に示したＬＥＤ表札１の正面図及び側面図である。
【００２２】
本発明の実施形態に係るＬＥＤ表札１は、ＬＥＤ（発光ダイオード）３０を利用して発光させる機能の付いた表札であり、ＬＥＤ３０が収納されたベースプレート２０の上に表示用プレート１０が重ねられてなるものである。
【００２３】
表示用プレート１０は、矩形状（正方形でも直方形でもよい）の透明ガラス（半透明ガラスであってもよい）１１の上に、透明ガラス１１よりもサイズが小さく矩形状の色付きガラス１２を重ね合せたもので、色付きガラス１２の表面に、例えば、「山田」などの名前（名字や氏名）又はデザインが施されたものである。
名前やデザインを表示用プレート１０に設けるには従来から種々の方法があるが、ここでは、名前やデザインに沿ったカッティングシートを表示用プレート１０の色付きガラス１２の表面に貼着した後に剥がしその跡に、高圧エアで金剛砂など堅くて細かい砂を吹き付けて加工するサンドブラスト方法によって行った。なお、これにかえて、レーザーなどによって彫刻したり、あるいはカッティングシートを容易に剥がれないように貼着したり、あるいは薬剤を使用したエッチング方法によって名前やデザインを施すこともできる。
【００２４】
また、表示用プレート１０における、透明ガラス１１と色付きガラス１２の重ね合わせは、両者を重ね合わせた状態で電気炉に入れ、熱によって融着させて形成したものであり、一般的にフュージングガラスと呼ばれている。
これにより、透明ガラス１１のエッヂ部１１Ａは、色付きガラス１２で覆われることなく露出されるので透明の状態となる。色付きガラス１２としては、黒色，黄色など種々考えられ、図１及び図３では、色付き部分を斜線で示した。ここでは、二枚のガラス板を重ねて融着させたが、三枚以上とすることもできる。
そして、透明ガラス１１の外周に位置するエッヂ部１１Ａを、図３に示すように、表示用プレート１０の表面側に向けて膨出湾曲させて凸レンズ状にしている。膨出湾曲の形成は、熱融着時に行ってもよく、電気炉から取出した後に成形加工してもよい。また、周面に湾曲部が形成された型枠に流状ガラスを流し込んで固まった後に型枠から外すようにしてもよい。
【００２５】
ベースプレート２０は、例えば、アクリル板などの合成樹脂製で、表示用プレート１０よりもサイズが小さく、表面側、すなわち、表示用プレート１０側が開放したボックス型の形状をしている。ここでは、アクリル乳板を使用した。
またベースプレート２０は、外周を囲む立設壁２１の端部を表示用プレート１０の裏面に当接し表示用プレート１０を支持している。このとき、表示用プレート１０のエッヂ部１１Ａがベースプレート２０の立設壁２１より外側に突出するようにしている。
なお、ベースプレート２０として導光板を使用することもできる。
【００２６】
表示用プレート１０とベースプレート２０とはねじ止めされている。すなわち、図４に示すように、べースプレート２０の四方内側には内側に延びる雌ねじ２５が設けられ、図３に示すように、雌ねじ２５に、表示用プレート１０の表側から裏側に向けて貫通した雄ねじ２６が螺合されることによって表示用プレート１０とベースプレート２０は固定される。なお、雌ねじ２５の外側は、ベースプレート２０を貫通して外側に突出していて、その外周にもねじ２７が刻設されている。
ベースプレート２０から外側から突出したねじ２７は、図５に示すように、ＬＥＤ表札１を家や門柱の外壁１００に取付けるときに外壁１００に埋設される。ＬＥＤ表札１の取付けは、家や門柱の外壁１００に対して、図５（ａ）に示すように、ベースプレート２０までを埋め込むようにしたり、図５（ｂ）に示すように、ねじ２７だけを埋め込むようにしたりしたり、あるいは、図５（ａ），図５（ｂ）の中間で、べースプレート２０の一部を埋め込むようにしてもよい。
【００２７】
ＬＥＤ３０は、ベースプレート２０の四方の立設壁２１側に沿ってそれぞれ４個設けられ、しかも、図８に示すように、主に立設壁２１側に向かって発光するように配置されている。すなわち、ここで使用しているＬＥＤ３０は、側面方向に発光する量は、それに垂直な方向に発光する量よりも大きい。
これにより、ＬＥＤ３０からの光の大部分は、ベースプレート２０の立設壁２１を伝わり表示用プレート１０の裏面からエッヂ部１１Ａと表示用プレート１０の表面側に導かれ、一部分は、ベースプレート２０の開放部から直接、表示用プレート１０の裏面に伝わりそこから表示用プレート１０の表面とエッヂ部１１Ａに伝わる。
なお、各ＬＥＤ３０にはＡＣアダプター４５を介して電源から電力が電気回路４０を構成する配線を介して供給されている。ＡＣアダプター４５においては、商用交流電源は直流電源に変換させられる。
【００２８】
以上のようにして構成された本実施形態に係るＬＥＤ表札１によれば、ＬＥＤ３０が収納され表示用プレート１０の裏面を支持する立設壁２１が形成されたベースプレート２０は、表示用プレート１０よりもサイズが小さく、表面側が開放したボックス型であるのに加えて、表示用プレート１０のエッヂ部１１Ａは透明でベースプレート２０の立設壁２１より外側（外方）に向けて露出しているので、ＬＥＤ３０からの光は、表示用プレート１０の外周に位置するエッヂ部１１Ａと、「山田」という名前の部分に導かれる。
これによって、名前の部分に加え、表示用プレート１０のエッヂ部１１Ａを鮮明に輝かせることができる。
よって、夜間時の表示効果に優れ、光の演出を楽しむことができる。
【００２９】
特に表示用プレート１０のエッヂ部１１Ａは、色付きガラス１２の外側に位置するとともに透明で、しかも表示用プレート１０の表面側に向けて膨出湾曲した凸レンズ状であるので、エッヂ部１１Ａの輝きは凸レンズ状にしない場合と比較して倍増する。
またＬＥＤ３０は、ベースプレート２０の立設壁２１側に向かって発光するように配置されているので、ＬＥＤ３０からの光が表示用プレート１０の表面側、すなわち、「山田」という名前を照らす部分だけに集中することはなく、エッヂ部１１Ａにも集められる。
【００３０】
なお、本実施形態においては、べースプレート２０に収納されたＬＥＤ３０の光をベースプレート２０の開放部から表示用プレート１０の下部に当てたが、図６に示すように、表示用プレート１０とベースプレート２０との間に光拡散板５０を設けて、ＬＥＤ３０の光を均一にした状態で表示用プレート１０に当てるようにしてもよい。
【００３１】
また、図９に示すように、べースプレート２０を、表示用プレート１０の裏面側に、表示用プレート１０との間に隙間Ｔ（例えば、約２ｍｍ）をあけた状態で設け、ＬＥＤ３０からの光が、べースプレート２０と表示用プレート１０との間を介して表示用プレート１０のエッヂ部１１Ａにダイレクトにあるいはダイレクトに近い状態で当たるようにすることもできる。なお、図８で示したＬＥＤ３０の高さをベースプレート２０の立設壁２１よりも高くすることによってＬＥＤ３０からの光をダイレクトに表示用プレート１０のエッヂ部１１Ａに当てることができる。
これによれば、ＬＥＤ３０からの光の量が表示用プレート１０のエッヂ部１１Ａにより多く導かれるので、表示用プレート１０のエッヂ部１１Ａを一層鮮明に輝かせることができる。なお、表示用プレート１０とベースプレート２０との間の隙間Ｔは、雌ねじ２５と雄ねじ２６との間に高ナット２８を設けることによって確保している。
【００３２】
また、図１０に示すように、表示用プレート１０の裏面に光拡散板５０を設け、その光拡散板５０との間に隙間Ｔ（例えば、約２ｍｍ）をあけた状態でべースプレート２０を設けるようにしてもよい。
【００３３】
また、本実施形態では、表示用プレート１０とそれを支持するベースプレート２０の平面を矩形状としたが、図７に示すＬＥＤ表札１のように、楕円形状にしてもよい。
図７に示す表示用プレート１０は、楕円状の透明ガラス１１の上に楕円状の色付きガラス１２を設けたもので、図示しないベースプレート２０も楕円状でその中に４つのＬＥＤ３０が設けられ、表示用プレート１０の表面とエッジ部１１Ａを強調して光らせている。
なお、ＬＥＤ表札１の形状についてはその他にも種々設定することができるが、表示用プレート１０とそれを支持するベースプレート２０を相似形（ベースプレート２０を表示用プレート１０よりも小さくする）とするとともに、表示用プレート１０を構成する透明ガラス１１と色付きガラス１２についても相似形（色付きガラス１２を透明ガラス１１よりも小さくする）とし、色付きガラス１２の外側に透明ガラス１１のエッジ部１１Ａを露出させるものであれば適用可能である。
【００３４】
また、本実施形態では、フュージングガラスを使用したが、かれにかえてアクリル板や板ガラスを使用し、エッジ部１１Ａを透明または半透明にしたものを使用することもできる。
さらには、フュージングガラス，アクリル板や板ガラスにおいて、エッジ部１１Ａを特に透明または半透明にしない場合であってもエッヂ部１１ＡにはＬＥＤ３０からの光が集まるので、エッヂ部１１Ａをある程度輝かせる効果はある。
【図面の簡単な説明】
【００３５】
【図１】本発明の実施形態に係るＬＥＤ表札の外観を示す斜視図である。
【図２】本発明の実施形態に係るＬＥＤ表札を示す平面図である。
【図３】本発明の実施形態に係るＬＥＤ表札を示す側面図である。
【図４】図１に示すベースプレートを示す斜視図である。
【図５】本発明の実施形態に係るＬＥＤ表札の取付状態を示す側面図である。
【図６】本発明の実施形態に係る他のＬＥＤ表札を示す側面図である。
【図７】本発明の実施形態に係るさらに他のＬＥＤ表札を示す平面図である。
【図８】図４に示すＬＥＤ３０の発光を示す模式図である。
【図９】本発明の実施形態に係る他のＬＥＤ表札で表示用プレートとベースプレートとの間に隙間を設けたものを示す側面図である。
【図１０】本発明の実施形態に係る他のＬＥＤ表札で表示用プレートとベースプレートとの間に隙間を設け、さらに光拡散板を設けたものを示す側面図である。
【符号の説明】
【００３６】
１      ＬＥＤ表札
１０      表示用プレート
１１      透明（半透明）ガラス
１１Ａ    エッヂ部
１２      色付きガラス
２０      ベースプレート
２１      立設壁
２５      雌ねじ
２６      雄ねじ
２７      ねじ
２８      高ナット
３０      ＬＥＤ
４０      電気回路（回路）
４５      ＡＣアダプター
５０      光拡散板
１００      外壁
Ｔ      隙間
【図１】
2010108631.tif 000003
【図２】
2010108631.tif 000004
【図３】
2010108631.tif 000005
【図４】
2010108631.tif 000006
【図５】
2010108631.tif 000007
【図６】
2010108631.tif 000008
【図７】
2010108631.tif 000009
【図８】
2010108631.tif 000010
【図９】
2010108631.tif 000011
【図１０】
2010108631.tif 000012